(57)【要約】【課題】一枚の折り曲げ可能な薄平板を折り曲げて漏斗が形成されるにする。【解決手段】薄平板Ｓは、正方形部１と、正方形部１の中央部分に形成された開口部９と、正方形部１の各頂点と開口部９の正方形部分１０の各隅とにつながる対角線上の折曲線１５〜１８と、折曲線１８と折曲線１５との間で正方形部１を半分に折り曲げるための折曲線７と、折曲線１７と折曲線１６との間で他辺１１から開口部９に至るまで形成された切込み１９とを有し、折曲線１７を折り曲げて、折曲線１７と切込み１９との間に形成された分割部分２１を、折曲線１５と折曲線１６との間の第１面２２に貼着する。これにより、第１面２２、折曲線１８と折曲線１５との間の第２面２３、及び折曲線１８と折曲線１７との間の第３面２４からなり、底面が開口し、頂部に開口部９を有する裁頭三角錐形状を呈する漏斗とすることができる。【選択図】図１
2013112396.tif 000002
【特許請求の範囲】
【請求項１】
折り曲げ可能な薄平板を折り曲げて形成される折り畳み式漏斗であって、
前記薄平板は、
矩形部と、
前記矩形部の中央部分に形成された開口部と、
前記開口部と前記矩形部の一辺の一端とにつながる前記矩形部の対角線上の第１の折曲線と、
前記開口部と前記矩形部の一辺の他端とにつながる前記矩形部の対角線上の第２の折曲線と、
前記開口部と、前記一辺とは逆側の前記矩形部の他辺の一端とにつながる前記矩形部の対角線上の第３の折曲線と、
前記開口部と前記矩形部の他辺の他端とにつながる前記矩形部の対角線上の第４の折曲線と、
前記第１の折曲線と前記第２の折曲線との間で前記矩形部を半分に折り曲げるための第５の折曲線と、
前記第３の折曲線と前記第４の折曲線との間で前記他辺から前記開口部に至るまで形成された切込みとを有し、
前記第３の折曲線を折り曲げて、前記第３の折曲線と前記切込みとの間に形成された部分を、前記第２の折曲線と前記４の折曲線との間の第１面に貼着し、
前記第１面、前記第１の折曲線と前記第２の折曲線との間の第２面、及び前記第１の折曲線と前記第３の折曲線との間の第３面からなり、底面が開口し、頂部に前記開口部を有する裁頭三角錐形状を呈することを特徴とする折り畳み式漏斗。
【請求項２】
前記薄平板は、
前記矩形部の前記一辺に連続し、前記第２面と略同じ形状且つ略同じ大きさを有する三角形部と、
前記一辺に沿って設けられた第６の折曲線とを更に有することを特徴とする請求項１に記載の折り畳み式漏斗。
【請求項３】
前記三角形部の前記一辺とはつながっていない頂部に、前記第６の折曲線で折り曲げて、前記三角形部を前記第２面に重ね合わせたときに、前記開口部から突出する導出部が設けられていることを特徴とする請求項２に記載の折り畳み式漏斗。
【請求項４】
前記開口部には、前記第１面及び前記第３面にそれぞれ連続し、液体を流し込む容器の口部の内側に挿入するための導出部が設けられていることを特徴とする請求項１乃至３のいずれか１項に記載の折り畳み式漏斗。
【請求項５】
前記矩形部は正方形であることを特徴とする請求項１乃至４のいずれか１項に記載の折り畳み式漏斗。
【請求項６】
前記薄平板は、前記矩形部の前記一辺及び前記他辺とは異なる辺に切り取り線を介して連続する首掛け部を更に有し、
前記首掛け部には、所定の容器の口部に首掛けするための首掛け穴が形成されていることを特徴とする請求項１乃至５のいずれか１項に記載の折り畳み式漏斗。
【発明の詳細な説明】
【技術分野】
【０００１】
本発明は、折り曲げ可能な薄平板を折り曲げて形成される折り畳み式漏斗に関する。
【背景技術】
【０００２】
液体を口の狭い容器に流し込むときには漏斗が用いられる。漏斗としては金属製やプラスチック製のものがあるが、一般家庭に常備してあることは少なく、必要なときに手元にあるとは限らない。
特許文献１には、紙製で、使いきりにすることができる漏斗が開示されている。特許文献１に開示された紙製の漏斗は、漏斗の本体部と支持部とが、漏斗の円形の直径上にある２箇所で接着されており、平らに折りたためるようにしている。
【先行技術文献】
【特許文献】
【０００３】
【特許文献１】特開２００３−３１２７８４号公報
【発明の概要】
【発明が解決しようとする課題】
【０００４】
しかしながら、特許文献１に開示された紙製の漏斗では、漏斗の本体部と支持部とが別体で、それを接着しなければならず、製造に手間がかかってしまう。
【０００５】
本発明は上記のような点に鑑みてなされたものであり、一枚の折り曲げ可能な薄平板を折り曲げて漏斗が形成されるにすることを目的とする。
【課題を解決するための手段】
【０００６】
本発明の折り畳み式漏斗は、折り曲げ可能な薄平板を折り曲げて形成される折り畳み式漏斗であって、前記薄平板は、矩形部と、前記矩形部の中央部分に形成された開口部と、前記開口部と前記矩形部の一辺の一端とにつながる前記矩形部の対角線上の第１の折曲線と、前記開口部と前記矩形部の一辺の他端とにつながる前記矩形部の対角線上の第２の折曲線と、前記開口部と、前記一辺とは逆側の前記矩形部の他辺の一端とにつながる前記矩形部の対角線上の第３の折曲線と、前記開口部と前記矩形部の他辺の他端とにつながる前記矩形部の対角線上の第４の折曲線と、前記第１の折曲線と前記第２の折曲線との間で前記矩形部を半分に折り曲げるための第５の折曲線と、前記第３の折曲線と前記第４の折曲線との間で前記他辺から前記開口部に至るまで形成された切込みとを有し、前記第３の折曲線を折り曲げて、前記第３の折曲線と前記切込みとの間に形成された部分を、前記第２の折曲線と前記４の折曲線との間の第１面に貼着し、前記第１面、前記第１の折曲線と前記第２の折曲線との間の第２面、及び前記第１の折曲線と前記第３の折曲線との間の第３面からなり、底面が開口し、頂部に前記開口部を有する裁頭三角錐形状を呈することを特徴とする。
また、本発明の折り畳み式漏斗の他の特徴とするところは、前記薄平板は、前記矩形部の前記一辺に連続し、前記第２面と略同じ形状且つ略同じ大きさを有する三角形部と、前記一辺に沿って設けられた第６の折曲線とを更に有する点にある。この場合に、前記三角形部の前記一辺とはつながっていない頂部に、前記第６の折曲線で折り曲げて、前記三角形部を前記第２面に重ね合わせたときに、前記開口部から突出する導出部が設けられるようにしてもよい。
また、本発明の折り畳み式漏斗の他の特徴とするところは、前記開口部には、前記第１面及び前記第３面にそれぞれ連続し、液体を流し込む容器の口部の内側に挿入するための導出部が設けられている点にある。
また、本発明の折り畳み式漏斗の他の特徴とするところは、前記矩形部は正方形である点にある。
また、本発明の折り畳み式漏斗の他の特徴とするところは、前記薄平板は、前記矩形部の前記一辺及び前記他辺とは異なる辺に切り取り線を介して連続する首掛け部を更に有し、前記首掛け部には、所定の容器の口部に首掛けするための首掛け穴が形成されている点にある。
【発明の効果】
【０００７】
本発明によれば、一枚の折り曲げ可能な薄平板を折り曲げて漏斗が形成されるにすることができる。
【図面の簡単な説明】
【０００８】
【図１】本実施形態に係る折り畳み式漏斗の展開状態の表面を示す図である。
【図２】本実施形態に係る折り畳み式漏斗の展開状態の裏面を示す図である。
【図３Ａ】本実施形態に係る折り畳み式漏斗の作り方を示す斜視図である。
【図３Ｂ】本実施形態に係る折り畳み式漏斗の作り方を示す斜視図である。
【図４】本実施形態に係る折り畳み式漏斗の完成品を示す斜視図である。
【図５】本実施形態に係る折り畳み式漏斗の完成品を示す斜視図である。
【図６】容器の口部に首掛け部を首掛けして、折り畳み式漏斗をセットにした状態を示す斜視図である。
【図７】正方形部及び三角形部を首掛け部から切り取った状態を示す斜視図である。
【発明を実施するための形態】
【０００９】
以下、添付図面を参照して、本発明の好適な実施形態について説明する。
本実施形態に係る折り畳み式漏斗は、紙や樹脂からなる折り曲げ可能な薄平板Ｓを折り曲げて形成される。
【００１０】
図１は本実施形態に係る折り畳み式漏斗の展開状態の表面を、図２は裏面を示す。図１、図２において一点鎖線は折曲線を表わす。
薄平板Ｓは、正方形部１と、正方形部１の一辺２に連続する三角形部３とを有する。また、薄平板Ｓは、正方形部１の辺４に切り取り線５を介して連続する首掛け部６を有する。正方形部１、三角形部３及び首掛け部６の表面及び裏面の適所には、漏斗の作り方や使用方法等が文字や図として印刷されている。
【００１１】
以下では、まず折り畳み式漏斗を構成する正方形部１及び三角形部３について説明し、首掛け部６については後述する。
正方形部１及び三角形部３の中心には、正方形部１及び三角形部３を半分に折り曲げるための折曲線７が設けられる。また、正方形部１と三角形部３とが連続する位置、すなわち正方形部１の一辺２に沿って、折曲線８が設けられる。
【００１２】
正方形部１において、その中央部分には開口部９が形成される。開口部９は、正方形部１の中央に位置する正方形部分１０と、一辺２とは逆側の他辺１１側で更に開口する開口部分１２とを有する。正方形部分１０は切り抜くのではなく、折曲線７を挟んで両側で扉状に開くようにした矩形部分１３、１４を残してある。一方、開口部分１２は切り抜かれている。
【００１３】
また、正方形部１において、各頂点と開口部９の正方形部分１０の各隅とにつながる対角線上の折曲線１５〜１８が設けられる。
【００１４】
また、正方形部１において、折曲線７上で、他辺１１から開口部９の開口部分１２に至るまで切込み１９が形成される。本実施形態では、他辺１１から切込み１９に至る部分を両側とも円弧状にカットしている。
【００１５】
三角形部３において、一辺２とはつながっていない頂部に矩形部分２０が形成される。矩形部分２０は、開口部９の矩形部分１３、１４と同じ形状且つ同じ大きさであり、図１、２に示す展開状態では矩形部分１３、１４に対して９０度横向きになっている。すなわち、矩形部分２０の幅は開口部９の正方形部分１０と同じ幅となっている。
【００１６】
本実施形態では、図１に示す表面側において、折曲線１５と折曲線１６との間を第１面２２、折曲線１５と折曲線１８との間を第２面２３、折曲線１８と折曲線１７との間を第３面２４と称する。第１面２２、第２面２３及び第３面２４はいずれも同じ形状且つ同じ大きさの略三角形状であり、三角形部３もこれら第１面２２、第２面２３及び第３面２４と同じ形状且つ同じ大きさの略三角形状となっている。
【００１７】
このような展開状態を有する正方形部１及び三角形部３において、図３Ａに示すように、折曲線１７を表面側から見て谷折りにして、折曲線１７と切込み１９との間に形成された分割部分２１を、折曲線１７と折曲線１６とが一致するように第１面２２に貼着している。
【００１８】
このようにした折り畳み式漏斗においては、折曲線７を表面から見て谷折りにすることにより、正方形部１及び三角形部３が半分に折り曲げられた折り畳み状態となる（図６、図７を参照）。ここでは、図７に示すように、首掛け部６が切り取り線５で切り取られているものとして説明する。
【００１９】
この折り畳み状態から、正方形部１の第２面２３及び三角形部３を開くとともに、折曲線１５及び折曲線１８を表面から見て谷折りにすることにより、図３Ａに示すように、第１面２２、第２面２３、及び第３面２４からなり、底面が三角形状に開口し、頂部に三角形状となった開口部９を有する裁頭三角錐形状となる。
【００２０】
次に、図３Ｂに示すように、折曲線８を表面から見て谷折りにすることにより、三角形部３を第２面２３に重ね合わせる。図３Ａに示す状態では、折曲線７により元の状態（折り畳み状態）に戻ろうとする力が生じるが、三角形部３を第２面２３に重ね合わせることにより、元の状態に戻ろうとする力が相殺され、保形性を持つようになる。
【００２１】
そして、三角形部３の頂部の矩形部分２０を開口部９に挿通させる。また、第１面２２及び第３面２４に連続する矩形部分１３、１４を扉状に開く。これにより、図４、図５に示すように、三角形状となった開口部９それぞれの辺から、３枚の矩形部分１３、１４、２０が下方に突出するかたちとなる。また、折曲線１６と切込み１９との間に形成された分割部分２５は折曲線１６を介して垂下するかたちとなる。この場合に、矩形部分１３、１４と分割部分２５との間には、開口部分１２により隙間２６が形成される。
【００２２】
このようにして裁頭三角錐形状を呈する漏斗が完成する。容器に液体を流し込むときには、取り付け完成図の印刷２７に示すように（図２、図４、図５を参照）、容器の口部を隙間２６に差し入れて口部の外側に分割部分２５を位置させるとともに、口部の内側に３枚の矩形部分１３、１４、２０を導出部として挿入する。これにより、漏斗を容器の口部に掛け止めた状態として、液体を３枚の矩形部分１３、１４、２０に伝わせて容器内に流し込むことができる。
【００２３】
次に、首掛け部６について説明する。図１、図２に示す展開状態において、首掛け部６は長方形をなし、その長辺の一部が切り取り線５を介して正方形部１の辺４に連続する。首掛け部６には、正方形部１の辺４に近い位置から、底面部２８と、側面部２９と、天板部３０と、側面部３１とを形成するように折曲線３２、３３、３４が設けられる。底面部２８には、容器の口部に首掛けするための首掛け穴３５が形成されている。
【００２４】
側面部３１側の端部には、折曲線３６を介して係止片３７が形成されている。また、底面部２８側の端部には折曲線３８を介して突片部３９が形成されるとともに、折曲線３８上に係止スリット４０が形成されている。したがって、首掛け部６は、各折曲線３２、３３、３４、３６、３８を表面側から見て谷折りにして、係止片３７を係止スリット４０に挿入、係止させることにより、両側部が開口する箱型となる。
【００２５】
本実施形態では、図６、図７に示すように、商品である液体を柔軟な樹脂製の袋状の容器１００に入れて販売することを想定している。そして、販売の際には、この容器１００の口部１０１に首掛け部６を首掛けして、折り畳み式漏斗をセットにする。このとき、折り畳み式漏斗は、折曲線１７と切込み１９との間に形成された分割部分２１が第１面２２に予め貼着され、正方形部１及び三角形部３が半分に折り曲げられた折り畳み状態となっている。そして、正方形部１及び三角形部３における折曲線７、１７以外の折曲線８、１５、１６、１８は折り曲げられていない状態となっている。
【００２６】
首掛け部６は、両側部が開口する箱型とされ、天板部３０で口部１０１を覆うかたちとなる。柔軟な袋状の容器１００の場合、硬い口部１０１を掴んで持ち運ぼうとするユーザが多いが、その場合、容器１００が口部１０１につながる部分で破れるおそれがある。そこで、天板部３０で口部１０１を覆うことにより口部１０１を掴めないようにし、容器１００全体をかかえて持ち運ぶように仕向けたものである。
【００２７】
購入者は、容器１００から液体を他の容器、例えば噴霧器やじょうろに移し替えるとき、正方形部１及び三角形部３を切り取り線５で首掛け部６から切り取って、既述したように折り曲げて漏斗を完成させる。
【００２８】
以上のようにした折り畳み式漏斗では、一枚の折り曲げ可能な薄平板Ｓを折り曲げて漏斗が形成されるにすることができる。
【００２９】
以下、上記実施形態と本願請求項１との対応関係を説明する。
薄平板Ｓは、矩形部である正方形部１と、正方形部１の中央部分に形成された開口部９と、開口部９と正方形部１の一辺２の一端とにつながる正方形部１の対角線上の第１の折曲線１８と、開口部９と正方形部１の一辺２の他端とにつながる正方形部１の対角線上の第２の折曲線１５と、開口部９と正方形部１の他辺１１の一端とにつながる正方形部１の対角線上の第３の折曲線１７と、開口部９と正方形部１の他辺１１の他端とにつながる正方形部１の対角線上の第４の折曲線１６と、第１の折曲線１８と第２の折曲線１５との間で正方形部１を半分に折り曲げるための第５の折曲線７と、第３の折曲線１７と第４の折曲線１６との間で他辺１１から開口部９に至るまで形成された切込み１９とを有し、第３の折曲線１７を折り曲げて、第３の折曲線１７と切込み１９との間に形成された部分２１を、第２の折曲線１５と第４の折曲線１６との間の第１面２２に貼着している。これにより、第１面２２、第１の折曲線１８と第２の折曲線１５との間の第２面２３、及び第１の折曲線１８と第３の折曲線１７との間の第３面２４からなり、底面が開口し、頂部に開口部９を有する裁頭三角錐形状を呈する漏斗とすることができる。
【００３０】
以上、本発明を種々の実施形態と共に説明したが、本発明はこれらの実施形態にのみ限定されるものではなく、本発明の範囲内で変更等が可能である。例えば各折曲線は、単に線として印刷されているだけでもよいが、例えば表面側から見たときに凹溝として形成されているようにしてもよい。さらにいえば、印刷による線や凹溝として存在していなくても、最終的に折り曲げられる線であってもよい。
【符号の説明】
【００３１】
Ｓ：薄平板、１：正方形部、２：一辺、３：三角形部、５：切り取り線、６：首掛け部、７：折曲線、８：折曲線、９：開口部、１０：正方形部分、１１：他辺、１２：開口部分、１３：矩形部分、１４：矩形部分、１５：折曲線、１６：折曲線、１７：折曲線、１８：折曲線、１９：切込み、２０：矩形部分、２１：分割部分、２２：第１面、２３：第２面、２４：第３面、２５：分割部分、２６：隙間、３５：首掛け穴
【図１】
2013112396.tif 000003
【図２】
2013112396.tif 000004
【図３Ａ】
2013112396.tif 000005
【図３Ｂ】
2013112396.tif 000006
【図４】
2013112396.tif 000007
【図５】
2013112396.tif 000008
【図６】
2013112396.tif 000009
【図７】
2013112396.tif 000010